(57)【要約】【課題】常に安定した測定ができる極めて簡単な構造の筋硬度計を安価に供する。【解決手段】支持体２に上端を固着されて押圧子５が下方へ突出され、押圧子５の周囲に配設された接触子６が支持体２に昇降自在に吊設され、支持体２に対して接触子６が最下位置にあるときに同接触子６の下端と押圧子５の下端とは同じ高さ位置にあり、押圧子５に対する接触子６の最下位置からの変位を検出する変位検出手段１０が支持体２に設けられ、支持体２に所定重量の重錘９が取付けられる筋硬度計。【選択図】　図１
2004077314.tif 000002
【特許請求の範囲】
【請求項１】
支持体に上端を固着されて押圧子が下方へ突出され、
前記押圧子の周囲に配設された接触子が前記支持体に昇降自在に吊設され、
前記支持体に対して前記接触子が最下位置にあるときに同接触子の下端と前記押圧子の下端とは同じ高さ位置にあり、
前記押圧子に対する前記接触子の最下位置からの変位を検出する変位検出手段が前記支持体に設けられ、
前記支持体に所定重量の重錘が取付けられることを特徴とする筋硬度計。
【請求項２】
前記重錘は、１〜３Ｋｇの重量があることを特徴とする請求項１記載の筋硬度計。
【請求項３】
前記変位検出手段が、差動変圧器であることを特徴とする請求項１または請求項２記載の筋硬度計。
【発明の詳細な説明】
【発明の属する技術分野】
本発明は、肩凝りなどの程度すなわち筋肉の硬さを計測する筋硬度計に関する。
【０００１】
【従来の技術】
従来、筋硬度計については種々提案されており、例えば特開昭５３−９２５８１号公報に記載されたものは、押圧子の押しつけ圧を圧検出素子で検出し、押圧子の周囲のフランジ状当接子の押圧子に対する相対的な変位を歪量検出素子で検出し、これらの検出値から筋の見かけの弾性率を求めようとするものである。
【０００２】
この従来の筋硬度計を実際に使用する場合は、中央の押圧子と周囲の当接子を筋肉表面に押し付けるようにして測定する。
【０００３】
【発明が解決しようとする課題】
しかし押圧子と当接子を筋肉表面に押し付ける力は一定ではなく、よって測定結果が安定しないという問題点がある。
他の従来の筋硬度計も同じような問題点を有している。
【０００４】
本発明は、斯かる点に鑑みなされたもので、その目的とする処は、常に安定した測定ができる極めて簡単な構造の筋硬度計を安価に供する点にある。
【０００５】
【課題を解決するための手段及び作用効果】
上記目的を達成するために、本請求項１記載の発明は、支持体に上端を固着されて押圧子が下方へ突出され、前記押圧子の周囲に配設された接触子が前記支持体に昇降自在に吊設され、前記支持体に対して前記接触子が最下位置にあるときに同接触子の下端と前記押圧子の下端とは同じ高さ位置にあり、前記押圧子に対する前記接触子の最下位置からの変位を検出する変位検出手段が前記支持体に設けられ、前記支持体に所定重量の重錘が取付けられる筋硬度計とした。
【０００６】
支持体に所定重量の重錘を取付けることにより、押圧子が常に一定の押圧力で筋肉を押圧することができるので、筋肉の押圧部分の凹みによりその周り部分との差を押圧子に対する接触子の変位により変位検出計が検出して筋肉の硬さを常に安定して測定することができる。
【０００７】
部品点数が少なく極めて簡単な構造であり、コストも大幅に削減することができる。
【０００８】
請求項２記載の発明は、請求項１記載の筋硬度計において、前記重錘が、１〜３Ｋｇの重量であることを特徴とする。
【０００９】
重錘が軽過ぎると測定が安定せず、重過ぎると押圧子により筋肉を傷めるおそれがあるとともそのせいで正確な測定ができない。
そこで重錘の重量を１〜３Ｋｇとすることで、支持体等も加えて最適な重量が押圧子を介して筋肉に加わることになり、常に安定した測定結果を得ることができる。
【００１０】
請求項３記載の発明は、請求項１または請求項２記載の筋硬度計において、前記変位検出手段が、差動変圧器であることを特徴とする。
【００１１】
差動変圧器のコイルとコアは非接触で、押圧子に対する接触子の変位における抵抗となる機械的な連結がないので、変位量を精度良く測定することができる。
【００１２】
【発明の実施の形態】
以下本発明に係る一実施の形態について図１ないし図３に基づき説明する。
本実施の形態に係る筋硬度計１は、その支持体２が円筒体３とその上端開口に嵌着される蓋部材４とからなる。
【００１３】
円筒体３のある程度厚みのある底壁３ａの中央円孔に案内されて昇降自在に接触子６が嵌挿されている。
接触子６は、軽量の樹脂製で、小径の円筒状をなし、中間部にフランジ７が嵌着されて、同フランジ７が円筒体３の内部で底壁３ａに接して接触子６は支持体２に吊設されている。
【００１４】
接触子６の円筒体３より下方に突出した下部は、円錐状に広がった円錐部６ａが形成され、その円錐部６ａの周縁が水平に延出してフランジ部６ｂが形成されている。
この接触子６の上端部に磁性体であるコア８が嵌着されている。
【００１５】
蓋部材４の下面中央に棒状の押圧子５が上端を固着して下方へ突設されている。
かかる蓋部材４は、押圧子５を接触子６の円筒の孔に挿入しながら円筒体３の上端開口に嵌着される。
【００１６】
支持体２が中空に保持されて接触子６に外力が加わらない状態では、接触子６は自重で下方に移動して図１に示すようにフランジ７が円筒体３の底壁３ａに当接して吊設された状態にある。
【００１７】
そしてこの支持体２の保持状態において、蓋部材４と一体の押圧子５は接触子６の孔を貫通して円錐部６ａに突出し、その先端が接触子６のフランジ部６ｂの下面と同一面にある。
【００１８】
円筒体３の内部空間には、上半部の内周面に差動変圧器１０をなす１次コイル１１と、その上下に２次コイル１２，１３が巻装されており、このコイル１１，１２，１３内を接触子６に嵌着されたコア８が上下に昇降する構成をなしている。
【００１９】
蓋部材４には着脱自在に円柱状の重錘９が円筒体３と同軸に螺合されるようになっており、この重錘９の重量は２Ｋｇあり、支持体２と合せると２Ｋｇ強の一定の重量となる。
【００２０】
なおコイル１１，１２，１３に対する配線１５が円筒体３の側部から延出しており、別途回路基板１６と電池収納箱１７が一体に形成された電圧計１８の回路基板１６に前記配線１５は連結されている。
【００２１】
回路基板１６に構成された回路は、図２に概略図示するように、電池収納箱１７に収納された電池２０の直流電圧がインバータ２１により交流に変換されて１次コイル１１に入力される。
【００２２】
２次コイル１２，１３は、互いの電圧の差を取出すように配線されて電圧計１８に出力されるようになっている。
図１に示す支持体２の保持状態で、コア８が上下の２次コイル１２，１３の中間に位置して、出力電圧が０ボルトに設定されている。
【００２３】
コア８が相対的に上方に移動するに従い差動変圧器１０の出力電圧が上昇して電圧計１８に表われるので、押圧子５に対する接触子６の相対移動距離を電圧計１８に表示させることができる。
【００２４】
以上のような構成をした本筋硬度計１を実際に使用したときの状態を図３に示す。
筋硬度計１は、例えば肩の筋肉に対して上方から垂直に下ろしていく。
同一水平面上にある押圧子５の先端と接触子６のフランジ部６ｂの下面が筋肉３０に触れた後は、押圧子５を鉛直方向に指向させた姿勢で筋硬度計１を持つ手は側方から倒れないように触れるだけとし、重錘９と支持体２の重量のみの一定の荷重が押圧子５に加わるようにする。
【００２５】
一定の荷重が加わった押圧子５の先端は、押圧点の筋肉を弾性的に凹ますことになり、押圧点の周囲に当接した接触子６は軽量で接触した略そのままの位置に維持され、押圧子５が下降し、両者に相対的な変位を生じ、同変位を差動変圧器１０により検出して電圧計１８に表示させることができる。
【００２６】
肩の筋肉３０の硬度が低いときは、押圧点の凹みの深さが大きくなり電圧計１８は大きな値を指示し、硬度が高いときは、押圧点の凹みの深さが小さく電圧計１８は小さな値を指示することになる。
【００２７】
したがって肩の凝りがひどい程電圧計１８は小さい値を示し、肩凝りの程度を知ることができる。
【００２８】
本筋硬度計１は、重錘９を備えて２０Ｋｇ強の荷重が押圧子５により押圧点に常に安定して加わるので、筋肉の硬さを常に安定して測定することができる。
部品点数が少なく極めて簡単な構造であり、コストも大幅に削減することができる。
【００２９】
重錘９の重量は、１〜３Ｋｇが適当であり、支持体２も含めて最適な重量が押圧子５を介して筋肉に加わることになり、常に安定した測定結果を得ることができる。
【００３０】
なお押圧子５と接触子６の相対変位を検出するのに、差動変圧器１０以外にラック・ピニオン機構で回転量に変換して直接メータの指針を駆動したり、ポテンショメータを駆動して変位検出計とする等種々の方法が考えられる。
【００３１】
中でも差動変圧器１０の場合、押圧子５と接触子６の相対移動において抵抗となる機械的な連結がなく、正確な測定が可能である。
【００３２】
前記実施の形態においては、電圧計１８を支持体２と別体として配線１５により連結していたが、支持体に電圧計を一体に取り付け、同時に電池収納箱や回路基板も一体に取り付けるようにしてもよく、使い勝手が良くなる。
【図面の簡単な説明】
【図１】本発明の一実施の形態に係る筋硬度計の全体構造図である。
【図２】同筋硬度計の概略回路図である。
【図３】同筋硬度計を実際に使用した状態を示す図である。
【符号の説明】
１…筋硬度計、２…支持体、３…円筒体、４…蓋部材、５…押圧子、６…接触子、７…フランジ、８…コア、９…重錘、
１０…差動変圧器、１１…１次コイル、１２，１３…２次コイル、１５…配線、１６…回路基板、１７…電池収納箱、１８…電圧計、２０…電池、２１…インバータ、
３０…筋肉。
【図１】
2004077314.tif 000003
【図２】
2004077314.tif 000004
【図３】
2004077314.tif 000005